(57)【要約】【課題】胴部に装着し、両手・両脚を使用する泳法の練習や四肢のリハビリ時にも使用でき、四肢不自由者であっても連結部で簡単に装着可能な水泳用補助具を提供する。【解決手段】独立気泡を連続して形成するする２層構造の耐水性プラスチック製シート１と、その片面の全面にラミネートされて一体化された柔軟性及び耐水性を有する布製シート５とにより、所定の浮力を有する水中浮揚シート材６を構成し、当該水中浮揚シート材６を備えた布製シートを身体の胴部の一部に装着可能に成形加工し、これを身体の胴部に装着する際に固定可能な連結部７を備えたことにより、独立気泡によって所定の浮力を得ると共に、使用時には空気を入れることなく使用でき、独立気泡に破壊する部分があっても全体としては影響されることなく、更に片面のみに柔軟性を有する布製シートをラミネートしているので身体のラインに沿って容易に屈曲可能である。【選択図】図２
0003196479.tif 000002
【実用新案登録請求の範囲】
【請求項１】
独立気泡を連続して形成する２層構造の耐水性プラスチック製シートと、その片面の全面にラミネートされて一体化された柔軟性及び耐水性を有する布製シートとにより、所定の浮力を有する水中浮揚シート材を構成し、
当該水中浮揚シート材部分と当該部分にラミネートされた布製シートを延設した部分とによって、身体の胴部の一部に装着可能に成形加工し、当該成形加工された布製シート端部に身体の胴部に装着する際に固定可能な連結部を備えた
ことを特徴とする水泳用補助具。
【請求項２】
水中浮揚シート材を構成する成形加工された布製シートは、幅広のベルト形状又はコルセット形状に構成したことを特徴とする請求項1に記載の水泳用補助具。
【請求項３】
水中浮揚シート材を構成する成形加工された布製シートは、チョッキ形状又はライフ・ジャケット形状に構成したことを特徴とする請求項1に記載の水泳用補助具。
【請求項４】
水中浮揚シート材を構成する成形加工された布製シートは、パンツ形状又はヒップガード形状に構成したことを特徴とする請求項1に記載の水泳用補助具。
【請求項５】
連結部は、水中浮揚シート材部分より延設されて重なり合うように連結される部分の布製シートにおいて、一方にはフックを設けるとともに他方には当該フックに着脱可能なループを設けて面ファスナーを構成したことを特徴とする請求項1から４に記載の水泳用補助具。
【請求項６】
連結部が構成される布製シートは、片方又は両方において、水中浮揚シート材と連結部との間に伸縮性を有するように、一体的に又は別部材により構成したことを特徴とする請求項1から5に記載の水泳用補助具。
【考案の詳細な説明】
【技術分野】
【０００１】
本考案は、水泳を行うことが不得意な初心者の水泳時や、四肢不自由者が行うリハビリ時の水泳時に、身体の特に胴部を所定の浮力で浮揚可能とし、泳ぎを補助することができる水泳補助具に関するものである。
【背景技術】
【０００２】
従来、浮き輪や救命胴衣（ライフ・ジャケット）のように、身体を水中に浮かせることを目的とするのではなく、水泳練習時の補助用として、水泳時に所定の浮力を与えて浮揚可能とするものが種々提案され、使用されている。
【０００３】
まず、一般的には、浮き輪のように密閉された袋状に空気を注入して浮力を付与するものや、ビート板のように手で支えて使用するあるいは股間に挟んで使用する発泡性樹脂板で浮力を付与するものがある。また、水着そのものに浮力を付与するものも提案されており、例えば、水着の内側に袋を構成して浮揚パットを入れるようにしたもの（特許文献１）、水着の表裏面布地の間に軟質合成樹脂発泡体を芯材として貼着したもの（特許文献２）等がある。
【先行技術文献】
【特許文献】
【０００４】
【特許文献１】実用新案登録第３１８８０９５号
【特許文献２】公開実用新案公報昭６３−６４７１４号
【考案の概要】
【考案が解決しようとする課題】
【０００５】
上記のような先行技術において、浮き輪タイプのものは身体そのものを浮かせるのが主目的で、水泳用目的としては泳ぎはじめの子供向けのものが主流であり、両手・両脚を使用して泳ぐ水泳練習用としては不向きである。また、使用に際しては空気を入れ、使用後は空気を抜く必要があり、面倒なものであった。次の、ビート板タイプのものでは、手または両脚（股間）で支えながら泳ぐ必要があり、手又は脚のどちらかしか使えないため、両手・両脚を使って水泳を行うという場合の補助用としては不十分であり、特に手や脚のリハビリのために水泳を行う場合、その目的を達成できないものであった。
【０００６】
一方、特許文献１及び特許文献２のものでは、水着そのものに加工を施すものであるため、水着が高価になるばかりでなく、浮力用のパットや発泡体を収納・取り出しの手間がかかる。また、収納する浮力体は水着の布地に比べて柔軟性がないため、水着の身体への装着感が損なわれるものであり、更に、練習によって浮揚の補助の必要が無くなっても、浮力用のパットや発泡体を収納するための袋やポケットはそのままであり、泳ぎにくいという課題も有している。
【課題を解決するための手段】
【０００７】
この課題を解決するために本考案水泳用補助具は、独立気泡を連続して形成するする２層構造の耐水性プラスチック製シートと、その片面の全面にラミネートされて一体化された柔軟性及び耐水性を有する布製シートとにより、所定の浮力を有する水中浮揚シート材を構成し、当該水中浮揚シート材を身体の胴部の一部に装着可能に成形加工し、当該成形加工された水中浮揚シート材を身体の胴部に装着する際に固定可能な連結部を備えたものである。
【考案の効果】
【０００８】
このように、本考案では、水泳用補助具を胴部に装着するので、両手・両脚は自由に使用可能であり、両手・両脚を使用する泳法の練習あるいはリハビリにも使用することができるものである。その、装着に際しては、連結部で簡単に固定できるので四肢不自由者であっても装着可能である。
【０００９】
また、本考案では、２層構造の耐水性プラスチック製シートによって独立気泡を形成したシートを使用するので使用に際して空気を入れる必要はなく、しかも独立気泡を連続して形成しているので、万一、独立気泡に破壊される部分があっても、全体としては影響されることなく所定の浮力を保持することができる。
【００１０】
更に、本考案では、２層構造のシートで片面のみに柔軟性を有する布製シートをラミネートしているので、独立気泡の他方側は３層構造のように屈曲が拘束されることなく、柔軟性の布製シートと共に容易に屈曲可能である。従って、身体胴部への装着に際しては、布製シート側を胴部体面の表面ラインに沿わせて容易に屈曲させて適合させることができる。
【図面の簡単な説明】
【００１１】
【図１】（ａ）図は本考案の第1の実施例による水泳用補助具の正面図、（ｂ）図は同背面図、（c）図は（ａ）図におけるＡ−Ａ線部分拡大断面図
【図２】（ａ）図は本考案の第1の実施例による水泳用補助具の使用状態の正面側斜視図、（ｂ）図は図１（ａ）図におけるＡ−Ａ線部分の使用状態における拡大断面図
【図３】（ａ）図は本考案の第２の実施例による水泳用補助具の正面図、（ｂ）図は同使用状態の正面図
【図４】（ａ）図は本考案の第３の実施例による水泳用補助具の正面図、（ｂ）図は同使用状態の正面図
【図５】（ａ）図は本考案の第４の実施例による水泳用補助具の使用状態の背面側斜視図、（ｂ）図は同使用状態の正面側斜視図
【考案を実施するための形態】
【００１２】
本考案の請求項１に記載の考案は、独立気泡を連続して形成する２層構造の耐水性プラスチック製シートと、その片面の全面にラミネートされて一体化された柔軟性及び耐水性を有する布製シートとにより、所定の浮力を有する水中浮揚シート材を構成し、当該水中浮揚シート材部分と当該部分にラミネートされた布製シートを延設した部分とによって、身体の胴部の一部に装着可能に成形加工し、当該成形加工された水中浮揚シート材を身体の胴部に装着する際に固定可能な連結部を備えたものである。この構成により、水泳に際して、空気を入れるということが必要なく、所定の身体胴部に連結部で固定して装着することにより、手脚で支持することなく所定の浮力を得ることができる。また、その装着時には、片面にラミネートされた布製シート側を身体胴部表面ラインに沿わせることにより屈曲して装着することができる。
【００１３】
請求項２に記載の考案は、水中浮揚シート材を構成する成形加工された布製シートを、幅広のベルト形状又はコルセット形状に構成したものである。この構成により、身体の胴部における腰部から腹部にかけて装着可能な水泳用補助具を提供することができる。
【００１４】
請求項３に記載の考案は、水中浮揚シート材を構成する成形加工された布製シートを、チョッキ形状又はライフ・ジャケット形状に構成したものである。この構成により、身体の胴部における胸部から背中部にかけて装着可能な水泳用補助具を提供することができる。
【００１５】
請求項４に記載の考案は、水中浮揚シート材を構成する成形加工された布製シートを、パンツ形状又はヒップガード形状に構成したものである。この構成により、身体の胴部における腰から臀部にかけて装着可能な水泳用補助具を提供することができる。
【００１６】
請求項５に記載の考案は、連結部を、水中浮揚シート材部分より延設されて重なり合うように連結される部分の布製シートにおいて、一方にはフックを設けるとともに他方には当該フックに着脱可能なループを設けて面ファスナーを構成したものである。この構成により、身体への装着・取り外しを容易に行うことができる。
【００１７】
請求項６に記載の考案は、連結部が構成される布製シートを、片方又は両方において、水中浮揚シート材と連結部との間に伸縮性を有するように、一体的に又は別部材により構成したものである。この構成により、身体への装着時に、より密着性を付与しながら装着し、使用中のずれを防止することができる。
【実施例１】
【００１８】
以下、本考案の実施例1について、図１及び図２を用いて説明する。この実施例は、水泳用補助具として腰の部分に装着可能なコルセット形状に構成したものであり、図１の（ａ）図はその装着状態で外表面となる正面図、（ｂ）図は同背面図、（c）図は（ａ）図におけるＡ−Ａ線部分拡大断面図である。また、図２の（ａ）図は同使用状態の正面側斜視図、（ｂ）図は図１（ａ）図におけるＡ−Ａ線部分の使用状態の拡大断面図である。
【００１９】
実施例１において、１は２層構造の耐水性プラスチック製シートであり、独立気泡２を連続して形成する表面側シート材３と背面側シート材４による２層構造に構成されている。ここで、表面側シート材３は、表面に突出する山部３ａと谷部３ｂを連続して形成し、その谷部３ｂを背面側シート材４に貼り付けることにより、表面側シート材３の山部３ａにおいて背面側シート材４との間に独立した空気層、すなわち独立気泡２を連続して形成している。そして、全体として独立気泡２を連続して形成する２層構造の耐水性プラスチック製シート１の背面側、すなわちフラットな背面側シート材４の全面に、布製シート５をラミネートしている。このような構成により、独立気泡２を連続して形成する２層構造の耐水性プラスチック製シート１と、これにラミネートされた布製シート５とによって、所定の浮力を有する水中浮揚シート材６を構成する。ここで、水中浮揚シート材６は、身体の胴部に装着して水中で使用するものであるため、耐水性を有すると共に、身体の胴部の表面ラインに沿わせて装着可能となるように柔軟性を併せ持つものである。
【００２０】
この実施例では、布製シート５は、全体として本実施例のコルセット形状として水泳補助具を構成し、腰部から腹部の胴部に装着可能なように成形加工されており、その胴部に装着する際に固定可能な連結部を備えている。連結部は、前述した水中浮揚シート材６を構成する成形部分より、布製シート５を延長して、その両側の延長部分が重なり合うようにすることにより構成している。この延長により構成される部分の布製シート５において、一方にはフック７ａを設けるとともに他方には当該フック７ａに着脱可能なループ７ｂを設けて面ファスナー７を構成したものである。ここで、フック７ａは布製シート５の背面側における一方の端部に設け、ループ７ｂは布製シート５の背面側における他方の端部に設けている。
【００２１】
この面ファスナー７の構成により、身体への装着・取り外しを容易に行うことができるものであり、その使用状態を図２の（ａ）図に示す。図示するように、面ファスナー７を含むコルセット形状の水泳補助具８は、身体９の腰部において、面ファスナー７により身体９の前面で連結することにより、独立気泡２を形成する水中浮揚シート材６の主要部分は、身体９における腰部の背面部に位置することとなる。
【００２２】
また、この水泳補助具８の装着状態では、図２の（ｂ）図に示すように、水中浮揚シート材６は、身体９に対する装着部分のラインに沿って、屈曲又は湾曲することとなる。これに対しては、独立気泡２を連続して形成するする２層構造の耐水性プラスチック製シート３，４において、フラットな背面側シート材４に柔軟性を有する布製シート５をラミネートしていることと、独立気泡２を有する表面側シート３の山部３ａを拘束することなく谷部３ｂで容易に屈曲可能である。
【００２３】
この実施例1では、コルセット形状の水泳補助具8としたが、この全体構成については、幅が広いベルト形状としても、腰部から腹部に装着することにより、同様の効果が得られるものである。
【実施例２】
【００２４】
次に、本考案の実施例２について、図３を用いて説明する。この実施例は、水泳用補助具として腰の部分に装着可能な、ヒップガード形状に構成したものであり、図３の（ａ）図はその装着状態で外表面となる正面図、（ｂ）図は同使用状態の正面図である。
【００２５】
実施例２において、１は独立気泡を連続して形成するする２層構造の耐水性プラスチック製シートで、その構成は実施例１のものと同じであり、この実施例では、当該シート１の背面側の全面にラミネートされる布製シート５を延長して、全体としてヒップガード形状の水泳補助具１０に成形したものである。この例では、耐水性プラスチック製シート１が貼付された部分において、前述した所定の浮力を有する水中浮揚シート材６を構成する。また、布製シート５は、身体に装着するための連結部を構成するため、腰部に固定するための左右のベルト部１１ａ，１１ｂと、大腿部に固定するため股間に巻き回し可能な舌片状部１２ａ，１２ｂと、当該舌片状部１２ａ，１２ｂと相対して大腿部に固定するための突出部１３ａ，１３ｂとを構成している。そして、装着時に重なり合うそれぞれの先端部分には、一方にはフック７ａを設けるとともに他方には当該フック７ａに着脱可能なループ７ｂを設けて面ファスナー７を構成している。
【００２６】
この実施例２の使用状態は、（ｂ）図に示すように、左右のベルト部１１ａ，１１ｂにより腰部に装着するとともに、舌片状部１２ａ，１２ｂと突出部１３ａ，１３ｂとによって大腿部に装着することができる。この状態で、独立気泡を連続して形成するする２層構造の耐水性プラスチック製シート１の部分は、腰部の背面からお尻にかけて存在することとなる。この例で、シート１の部分は、装着時に背面側のみに形成される構成としたが、ベルト部１１ａ，１１ｂの幅を広くして、この部分に設けるようにしてもよい。
【実施例３】
【００２７】
次に、本考案の実施例３について、図４を用いて説明する。この実施例は、水泳用補助具として腰から股間にかけて装着可能な、装着状態でパンツ形状となるように構成したものであり、図４の（ａ）図はその装着状態で外表面となる展開状態の正面図、（ｂ）図は同使用状態の正面図である。
【００２８】
実施例３において、１は独立気泡を連続して形成するする２層構造の耐水性プラスチック製シートで、その構成は実施例１のものと同じであり、この実施例では、当該シート１の背面側の全面にラミネートされる布製シート５を延長して、全体として身体への装着状態でパンツ形状の水泳補助具１４となるように成形したものである。そのために、装着状態における前部１５と、後部１６と、前部１５と後部１６を連結する股間部１７を成形した構成とし、前部１５と後部１６の左右においてそれぞれ連結することにより、パンツ形状で身体９へ装着可能となっている。布製シート５には、身体に装着するための連結部を構成するため、装着時に重なり合うそれぞれの左右先端部分において、一方にはフック７ａを設けるとともに他方には当該フック７ａに着脱可能なループ７ｂを設けて面ファスナー７を構成している。また、この例でも、耐水性プラスチック製シート１が貼付された部分において、前述した所定の浮力を有する水中浮揚シート材６を構成している。この実施例で、耐水性プラスチック製シート１は、後部１６に設けるとともに、当該後部のもの耐水性プラスチック製シート１ａよりも小さいサイズの耐水性プラスチック製シート１ｂを構成している。
【００２９】
この実施例３の使用状態は、（ｂ）図に示すように、股間部１７で折り曲げて前部１５及び後部１６を持ち上げ、身体9の腰部の両側において、面ファスナー７を構成する前部１５側のループ部７ｂに後部１６側のフック７ａを装着することにより、パンツ形状として身体９に装着することとなる。この実施例では、股間部１７から前部１５と後部１６の上縁までの寸法を調整することにより、耐水性プラスチック製シート１の大きさを調整し、全体としての所定の浮力を調整可能である。
【実施例４】
【００３０】
次に、本考案の実施例４について、図５を用いて説明する。この実施例は、水泳用補助具として肩から背中にかけて装着可能な、装着状態でチョッキ形状となるように構成したものであり、図５の（ａ）図はその使用状態の背面側斜視図、（ｂ）図は同使用状態の正面側斜視図である。
【００３１】
図５において、１は独立気泡を連続して形成するする２層構造の耐水性プラスチック製シートで、その構成は実施例１のものと同じであり、この実施例では、当該シート１の背面側の全面にラミネートされる布製シート５を延長して、全体として身体9への装着状態でチョッキ形状の水泳補助具１８となるように成形したものである。そのために、装着状態における左右の肩掛ベルト部１９ａ，１９ｂと、腹部へ装着用の左右の腹部ベルト部２０ａ，２０ｂを成形した構成とし、腹部ベルト部２０ａ，２０ｂを連結することにより装着できる構成となっている。装着時における連結部は、腹部ベルト部２０ａ，２０ｂの先端部分において、一方にはフック７ａを設けるとともに他方には当該フック７ａに着脱可能なループ７ｂを設けて面ファスナー７を構成している
【００３２】
この実施例では、独立気泡を連続して形成するする２層構造の耐水性プラスチック製シート１は、背部のみとしたが、肩掛ベルト部１９ａ，１９ｂや腹部ベルト部２０ａ，２０ｂに設けてもよい。
【００３３】
以上、実施例1から4について説明したが、各実施例における共通の内容として、展開可能な実施例について説明する。独立気泡を連続して形成するする２層構造の耐水性プラスチック製シート１の背面側において、全面にラミネートされて各々の水泳用補助具全体を構成し、或いは連結部を構成する布製シート５は、必ずしも１枚の布製シート５である必要はなく、複数のもので全体を構成するものであってもよい。ここでは、当該独立気泡を連続して形成するする２層構造の耐水性プラスチック製シート１が形成される部分においては、少なくともその耐水性プラスチック製シート１の背面側全面に、柔軟性及び耐水性を有する布製シートをラミネートして一体化していることが必要である。
【００３４】
また、本考案の水泳用補助具を身体に装着して使用する目的から鑑みて、連結部を構成する面ファスナー７のフック７ａとループ７ｂを設ける布製シート５は、２層構造の耐水性プラスチック製シート１が形成される部分と当該面ファスナー７のフック７ａ又はループ７ｂを構成する延長部分との間において、前述の柔軟性及び耐水性に加えて伸縮性を有する構成にすることが好ましい。このような構成にすることで、考案の水泳用補助具の身体への密着性を向上させることができる。
【００３５】
また、連結部の構成は、面ファスナー７による連結構造に限定されるものではなく、ジッパーなどの線ファスナー又はボタンなどの留め具や、紐によって縛りつけるような構成してもよく、連結できるものであればよい。
【産業上の利用可能性】
【００３６】
本考案は、水泳を行うことが不得意な初心者の水泳時や、四肢不自由者が行うリハビリ時の水泳時に、身体の特に胴部を所定の浮力で浮揚可能とし、泳ぎを補助することができる水泳補助具として利用できる。
【符号の説明】
【００３７】
１    独立気泡を連続して形成する２層構造の耐水性プラスチック製シート
２    独立気泡
３    表面側シート材
３ａ  山部
３ｂ  谷部
４    背面側シート材
５    布製シート
６    水中浮揚シート材
７    面ファスナー
７ａ  フック
７ｂ  ループ
８    コルセット形状の水泳補助具
９    身体
１０  ヒップガード形状の水泳補助具
１１  ベルト部
１２  舌片状部
１３  突出部
１４  パンツ形状の水泳補助具
１５  前部
１６  後部
１７  股間部
１８  チョッキ形状の水泳補助具
１９  肩掛ベルト部
２０  肩掛ベルト部
【図１】
0003196479.tif 000003
【図２】
0003196479.tif 000004
【図３】
0003196479.tif 000005
【図４】
0003196479.tif 000006
【図５】
0003196479.tif 000007